(57)【特許請求の範囲】
【請求項１】
防振連結される一方の部材に取り付けられる第一の取付部材と防振連結される他方の部材に取り付けられる第二の取付部材を本体ゴム弾性体で連結する一方、軸直角方向に延びる当接板部の両端に一対の脚部を備えた門形状のストッパ部材を用いて、該一対の脚部の下端を該第二の取付部材に固定して該第一の取付部材から外方に突出するようにして該ストッパ部材を組み付けることにより該当接板部と該第一の取付部材を対向位置せしめて、該当接板部と該第一の取付部材が当接することによって該第一の取付部材と該第二の取付部材の互いに離隔する方向の変位量を制限するリバウンドストッパ機構を構成すると共に、該本体ゴム弾性体の外面を離隔して覆う遮熱ゴムカバーを該第一の取付部材側から該本体ゴム弾性体に被せるように配設した遮熱ゴムカバー付き防振装置において、
前記ストッパ部材における前記当接板部と前記一対の脚部に、それぞれ外方に開口する係止凹溝を形成すると共に、該当接板部の該係止凹溝の両側壁部には高さ方向先端部分に切欠状の段差部を設ける一方、前記遮熱ゴムカバーの中央部分の外面に中央爪部を一体形成すると共に該遮熱ゴムカバーの周壁部分の外面に外側爪部を一体形成して、該当接板部における該係止凹溝の両側壁部に該中央爪部を係止すると共に、該一対の脚部における該係止凹溝の両側壁部に該外側爪部を係止し、更に、該当接板部における該係止凹溝の両側壁部に設けた該段差部の両端段差面に対して該中央爪部の両端面を当接させることにより該遮熱ゴムカバーの中央部分を該ストッパ部材の該当接板部に対して該係止凹溝の長手方向で位置決めして、該遮熱ゴムカバーを該ストッパ部材に固定したことを特徴とする遮熱ゴムカバー付き防振装置。
【請求項２】
前記遮熱ゴムカバーが逆カップ形状を有しており、該遮熱ゴムカバーの外面には底部から両周壁部に亘って延びる嵌入凹所を形成して、該嵌入凹所の中央部分の壁部に前記中央爪部を形成すると共に、該嵌入凹所の中央部分から端部側に偏倚した壁部に前記外側爪部を形成して、該嵌入凹所に前記ストッパ部材を嵌め込んだ請求項１に記載の遮熱ゴムカバー付き防振装置。
【請求項３】
前記中央爪部や前記外側爪部を、前記嵌入凹所の壁部上端から幅方向内側に延びる横壁部と該横壁部の内側端部から該嵌入凹所の底部に向かって延びる縦壁部を含んで構成して、前記ストッパ部材の前記係止凹溝の上端部分を該横壁部および該縦壁部の内側に嵌め込むことで、該中央爪部や該外側爪部を該係止凹溝の両壁部に係止した請求項２に記載の遮熱ゴムカバー付き防振装置。
【請求項４】
前記縦壁部を前記横壁部に比して厚肉とした請求項３に記載の遮熱ゴムカバー付き防振装置。
【請求項５】
前記縦壁部の先端部分を前記嵌入凹所の底部に向かって薄肉となる先細り形状とした請求項３又は４に記載の遮熱ゴムカバー付き防振装置。
【請求項６】
前記遮熱ゴムカバーにおける前記中央爪部と前記外側爪部の間に肉抜き孔を形成し、該肉抜き孔に前記ストッパ部材の前記当接板部と前記脚部の連結部位を位置せしめるようにした請求項１乃至５の何れか一項に記載の遮熱ゴムカバー付き防振装置。
【請求項７】
前記第一の取付部材と前記当接板部の対向面間において、前記遮熱ゴムカバーの該当接板部と重ね合わせられる部分に緩衝ゴムを一体形成した請求項１乃至６の何れか一項に記載の遮熱ゴムカバー付き防振装置。
【発明の詳細な説明】
【技術分野】
【０００１】
本発明は、防振連結される一方の部材に取り付けられる第一の取付部材と他方の部材に取り付けられる第二の取付部材を本体ゴム弾性体で弾性連結した防振装置に係り、特に、第一の取付部材と第二の取付部材が相互に離隔する方向の変位量を制限するリバウンドストッパ機構と、本体ゴム弾性体への熱の影響を抑える遮熱ゴムカバーとを備えた、新規な構造の遮熱ゴムカバー付き防振装置に関するものである。
【背景技術】
【０００２】
従来から、振動伝達系を構成する部材間に介装される防振連結体や防振支持体等の防振装置の一種として、防振連結される一方の部材に取り付けられる第一の取付部材と他方の部材に取り付けられる第二の取付部材を本体ゴム弾性体で連結した構造のものが知られている。かかる構造の防振装置では、例えば、自動車用のエンジンマウントやボデーマウント、サスペンションブッシュ等への適用が検討されている。
【０００３】
ところで、防振装置において良好な振動絶縁効果を得るには、ばね特性が十分に柔らかいことが望ましい。一方、大きな振動荷重が入力された際に、防振連結される一方の部材と他方の部材の大きな変位を抑えることが必要となる。そこで、防振装置には、第一の取付部材と第二の取付部材に対して相対的な変位量を制限するストッパ機構を設けることが多い。
【０００４】
このようなストッパ機構の一種として、特許文献１（特開２００５−１７２２０２号公報）にも示されているように、門形のストッパ部材の両脚部分を第一の取付部材を軸直角方向に跨いで第二の取付部材に固定せしめ、ストッパ部材の中央部分と第一の取付部材を軸方向で対向位置せしめたリバウンド型のストッパ機構がある。これによれば、大荷重入力により第一の取付部材と第二の取付部材が相互に離隔する方向（リバウンド方向）に大きく変位して、ストッパ部材が第一の取付部材に打ち当たることで、第一及び第二の取付部材のリバウンド方向の変位量が制限されるようになっている。
【０００５】
ところで、上述のストッパ機構を備えた防振装置は、例えば大振幅振動が入力される自動車用エンジンマウント等に適用される場合が多い。そこで、本体ゴム弾性体が内燃機関の輻射熱や熱気等に直接に晒されると、耐久性能の低下により、ゴム弾性体本来の弾性による防振効果が十分に得られ難い問題があった。
【０００６】
かかる問題に対処するための方策の一つとして、本体ゴム弾性体の外面を離隔して覆うように遮熱カバー（遮熱板）を配設し、本体ゴム弾性体の外部熱の影響を抑えるようにした、遮熱カバー付きの防振装置が知られている。例えば、特許文献２（特開２００４−２７６７６４号公報）に示されるものが、それである。
【０００７】
しかしながら、特許文献２に示される防振装置では、遮熱カバーの中央部分が本体ゴム弾性体とストッパ部材の間を通って第一の取付部材に支持されていると共に、遮熱カバーの外周部分が、ストッパ部材の外周部分が固定されたのと同じ第二の取付部材側のブラケットに支持された構造を呈していることから、遮熱カバーを防振装置本体に位置決めして固定する組み付け作業が複雑になり、また組み付け工数の削減が図られ難いこともあって、製造効率の向上が達成され難い問題を内在していた。
【０００８】
【特許文献１】特開２００５−１７２２０２号公報
【特許文献２】特開２００４−２７６７６４号公報
【発明の開示】
【発明が解決しようとする課題】
【０００９】
本発明は上述の如き事情を背景として為されたものであって、その解決課題とするところは、ストッパ機構を備えた防振装置において、遮熱ゴムカバーが防振装置本体に速やかに且つ確実に組み付けられることによって、目的とする遮熱効果が安定して得られると共に、製造効率が有利に向上され得る、新規な構造の遮熱ゴムカバー付き防振装置を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１１】
すなわち、本発明の特徴とするところは、防振連結される一方の部材に取り付けられる第一の取付部材と防振連結される他方の部材に取り付けられる第二の取付部材を本体ゴム弾性体で連結する一方、軸直角方向に延びる当接板部の両端に一対の脚部を備えた門形状のストッパ部材を用いて、一対の脚部の下端を第二の取付部材に固定して第一の取付部材から外方に突出するようにしてストッパ部材を組み付けることにより当接板部と第一の取付部材を対向位置せしめて、当接板部と第一の取付部材が当接することによって第一の取付部材と第二の取付部材の互いに離隔する方向の変位量を制限するリバウンドストッパ機構を構成すると共に、本体ゴム弾性体の外面を離隔して覆う遮熱ゴムカバーを第一の取付部材側から本体ゴム弾性体に被せるように配設した遮熱ゴムカバー付き防振装置において、ストッパ部材における当接板部と一対の脚部に、それぞれ外方に開口する係止凹溝を形成すると共に、当接板部の係止凹溝の両側壁部には高さ方向先端部分に切欠状の段差部を設ける一方、遮熱ゴムカバーの中央部分の外面に中央爪部を一体形成すると共に遮熱ゴムカバーの周壁部分の外面に外側爪部を一体形成して、当接板部における係止凹溝の両側壁部に中央爪部を係止すると共に、一対の脚部における係止凹溝の両側壁部に外側爪部を係止し、更に、当接板部における係止凹溝の両側壁部に設けた段差部の両端段差面に対して中央爪部の両端面を当接させることにより遮熱ゴムカバーの中央部分をストッパ部材の当接板部に対して係止凹溝の長手方向で位置決めして、遮熱ゴムカバーをストッパ部材に固定した遮熱ゴムカバー付き防振装置にある。
【００１２】
このような本発明に従う構造とされた遮熱ゴムカバー付き防振装置においては、遮熱ゴムカバーの中央爪部がストッパ部材における当接板部の係止凹溝の両側壁部に係止されることで、遮熱ゴムカバーの中央部分が、門形のストッパ部材の当接板部が設けられた中央部分に支持される。また、遮熱ゴムカバーの外側爪部がストッパ部材における各脚部の係止凹溝の両側壁部に係止されることで、遮熱ゴムカバーの周壁部分が、ストッパ部材の各脚部が設けられた外周部分に支持される。それによって、遮熱ゴムカバーが、ストッパ部材を介して、第一及び第二の取付部材が本体ゴム弾性体で弾性連結されてなる防振装置本体に固定されるようになっている。
【００１３】
ここで、ストッパ部材と遮熱ゴムカバーが互いに別体形成されていることにより、ストッパ部材と遮熱ゴムカバーの形状や大きさ、配置等の設計自由度が互いに大きく干渉することが抑えられる。その結果、要求される遮熱効果に応じて、遮熱ゴムカバーの設計変更が有利に為される。
【００１４】
また、中央爪部や外側爪部が遮熱ゴムカバーと一体形成されていることによって、これらの爪部を弾性変形させつつ、ストッパ部材の係止凹溝に係止することが可能となり、組み付け作業が容易となる。
【００１５】
特に、中央爪部の当接板部への位置決めは、当接板部の係止凹溝の両側壁部に設けられた段差部に中央爪部が入り込んだ状態とされて、係止凹溝の長手方向の両側において、中央爪部の両端面が段差部の両端段差面に対して対向位置せしめられる。そして、中央爪部の両端面が段差部の両端段差面に当接することによって、中央爪部の当接板部に対する相対変位が、係止凹溝の長手方向で拘束されることとなって位置決め効果が発揮される。かかる中央爪部の位置決めに伴い、遮熱ゴムカバーの外側爪部も固定すべきストッパ部材の脚部に対して安定して位置決めされることとなる。これにより、遮熱ゴムカバーのストッパ部材を介した防振装置本体に対する位置決めが、簡単な構造で効果的に実現されることとなり、位置ずれに起因する遮熱ゴムカバーのストッパ部材からの外れも防止される。
【００１６】
なお、中央爪部の両端面における段差部の両端段差面に対する当接状態は、遮熱ゴムカバーのストッパ部材への装着状態下で常時設定されている必要はなく、例えば、係止凹溝の長手方向において中央爪部の長さ寸法を段差部の長さ寸法よりも小さく設定して、該中央爪部の一方の端面又は両方の端面が段差部の端部段差面に対して所定の距離を隔てて対向位置せしめ、遮熱ゴムカバーがストッパ部材に対して係止凹溝の長手方向で所定距離だけ相対変位した場合にだけ、中央爪部の端面が段差部の端部段差面に当接してそれ以上の変位を阻止し得るようになっていても良い。尤も、常時、中央爪部の両端面が段差部の両端段差面に対して当接した状態で組み付けられることにより、遮熱ゴムカバーのストッパ部材に対する位置決め効果が一層確実に発揮されることとなる。そして、ゴム弾性体からなる中央爪部と外側爪部でストッパ部材に確実に係止されていることに加えて、かくの如く中央爪部の端面と係止凹溝の壁部の段差面の当接状態が保持されることによって、遮熱ゴムカバーの防振装置本体に対する位置ずれが一層効果的に抑えられる。
【００１７】
従って、本構造の遮熱ゴムカバー付き防振装置においては、遮熱ゴムカバーがストッパ部材を利用して、部品点数の増加を伴うことなく、防振装置本体に容易に組み付けられることから、製造効率の向上や低コスト化が有利に達成され得るのであり、しかも、遮熱ゴムカバーの防振装置本体に対する位置決めが確実とされ且つ安定して保持されることによって、遮熱ゴムカバーと本体ゴム弾性体の外面との離隔距離が高度に設定、保持されて、所期の遮熱効果が有利に発揮され得るのである。
【００１８】
また、本発明に係る遮熱ゴムカバー付き防振装置では、遮熱ゴムカバーが逆カップ形状を有しており、遮熱ゴムカバーの外面には底部から両周壁部に亘って延びる嵌入凹所を形成して、嵌入凹所の中央部分の壁部に中央爪部を形成すると共に、嵌入凹所の中央部分から端部側に偏倚した壁部に外側爪部を形成して、嵌入凹所にストッパ部材を嵌め込んだ構造が、採用されても良い。このような構造によれば、嵌入凹所による嵌合構造を利用して、遮熱ゴムカバーがストッパ部材に一層安定して支持されると共に、高度な位置決めが実現される。
【００１９】
また、本発明に係る遮熱ゴムカバー付き防振装置では、中央爪部や外側爪部を、嵌入凹所の壁部上端から幅方向内側に延びる横壁部と横壁部の内側端部から嵌入凹所の底部に向かって延びる縦壁部を含んで構成して、ストッパ部材の係止凹溝の上端部分を横壁部および縦壁部の内側に嵌め込むことで、中央爪部や外側爪部を係止凹溝の両壁部に係止した構造が、採用されても良い。このような構造によれば、爪部が係止凹溝の壁部に巻き込まれるようにして係止されることとなり、係止構造の安定が一層有利に図られ得る。
【００２０】
さらに、上述の本発明に係る遮熱ゴムカバー付き防振装置では、縦壁部を横壁部に比して厚肉とした構造が、好適に採用される。このような構造によれば、係止凹溝の壁部を縦壁部で軸直角方向に挟み込む力が好適に得られて、遮熱ゴムカバーの支持安定性が有利に向上され得る。また、遮熱ゴムカバーの加硫成形時や爪部を係止凹溝の壁部に組み付けた際に、縦壁部のめくれ上がりが好適に抑えられる。また、横壁部は縦壁部に比して薄肉とされているため、爪部の弾性変形作用が好適に確保され、縦壁部の厚肉化に起因する遮熱ゴムカバーのストッパ部材への組み付け作業の悪化が有利に防止され得る。
【００２１】
更にまた、上述の本発明に係る遮熱ゴムカバー付き防振装置では、縦壁部の先端部分を嵌入凹所の底部に向かって薄肉となる先細り形状とした構造が、好適に採用される。このような構造によれば、縦壁部の先端部分が、ストッパ部材の係止凹溝の壁部における当接板部や脚部の基端部分に当たることが軽減乃至は回避され、組み付け作業の容易化や組み付け状態の安定性の更なる向上が図られ得る。
【００２２】
また、本発明に係る遮熱ゴムカバー付き防振装置では、遮熱ゴムカバーにおける中央爪部と外側爪部の間に肉抜き孔を形成し、肉抜き孔にストッパ部材の当接板部と脚部の連結部位を位置せしめるようにした構造が、採用されても良い。このような構造によれば、連結部位の表面を中央爪部と外側爪部の間の外周面に重ね合わせる必要がなくなり、連結部位の表面と両爪部の外周面が互いに異なる形状である場合に強引に重ね合わせられることに起因して当接板部と中央爪部の係止状態や脚部と外側爪部の係止状態に不具合が生じることが解消される。その結果、ヒートインシュレータのストッパ金具への組み付け安定性が向上される。また、連結部位の表面が、中央爪部と外側爪部の間の外周面にぴったりと重ね合わせられるように特別に厳密に設計されなくともよくなり、製造作業が容易になる。
【００２３】
また、本発明に係る遮熱ゴムカバー付き防振装置では、第一の取付部材と当接板部の対向面間において、遮熱ゴムカバーの当接板部と重ね合わせられる部分に緩衝ゴムを一体形成した構造が、採用されても良い。このような構造によれば、ストッパ部材の当接板部と第一の取付部材が緩衝ゴムを介して打ち当たることにより、第一の取付部材と第二の取付部材の相対的な変位量が緩衝的に制限される。特に、緩衝ゴムと遮熱ゴムカバーが一体形成されていることから、緩衝ゴムを遮熱ゴムカバーと別にストッパ部材に組み付ける手間が省かれて、組み付け作業の容易化や製造コストの削減化が有利に図られ得る。
【発明を実施するための最良の形態】
【００２４】
以下、本発明を更に具体的に明らかにするために、本発明の実施形態について説明する。先ず、図１には、本発明の遮熱ゴムカバー付き防振装置に係る一実施形態としての自動車用エンジンマウント１０が示されている。このエンジンマウント１０は、第一の取付部材としての第一の取付金具１２と第二の取付部材としての第二の取付金具１４が本体ゴム弾性体１６を介して弾性連結されていると共に、第一の取付金具１２や本体ゴム弾性体１６の周りにストッパ部材としてのストッパ金具１８や遮熱ゴムカバーとしてのヒートインシュレータ２０が離隔して配設された構造を呈している。この第一の取付金具１２がパワーユニット側に取り付けられると共に、第二の取付金具１４が車両ボデー側に取り付けられることにより、パワーユニットがボデーに対して防振支持されるようになっている。
【００２５】
なお、図１では、自動車に装着する前のエンジンマウント１０の単体での状態が示されているが、本実施形態では、装着状態において、パワーユニットの分担支持荷重がマウント軸方向（図１中、上下）に入力される。従って、マウント装着状態下では、本体ゴム弾性体１６の弾性変形に基づき第一の取付金具１２と第二の取付金具１４が軸方向で互いに接近する方向に変位する。また、かかる装着状態下、防振すべき主たる振動は、略マウント軸方向に入力されることとなる。以下の説明中、特に断りのない限り、上下方向は、マウント軸方向となる図１中の上下方向をいう。
【００２６】
ここで、本実施形態に係るエンジンマウント１０は、内部に非圧縮性流体が封入された流体封入式の防振装置とされており、例えば特許文献１（特開２００５−１７２２０２号公報）等に示されるような公知の構造が採用されることから、その詳細な説明を省略するが、筒状を有する第二の取付金具１４の一方（図１中、上）の開口部側に略円板形状乃至は円柱形状の第一の取付金具１２が離隔配置されて、それら両金具１２，１４の間に裁頭円錐台形状の本体ゴム弾性体１６が配設されている。第一の取付金具１２の外周面が本体ゴム弾性体１６の小径側端面に加硫接着されていると共に、第二の取付金具１４の内周面が本体ゴム弾性体１６の大径側端部外周面に加硫接着されていることによって、第一の取付金具１２と第二の取付金具１４が弾性連結されていると共に、第二の取付金具１４の一方の開口部が本体ゴム弾性体１６で流体密に覆蓋されている。また、図面に明示されていないが、第二の取付金具１４の他方の開口部に蓋部材が配設されて、かかる開口部が蓋部材で流体密に覆蓋せしめられている。
【００２７】
これにより、本体ゴム弾性体１６と蓋部材で覆蓋された第二の取付金具１４の内側には、壁部の一部が本体ゴム弾性体１６で構成されて、本体ゴム弾性体１６の弾性変形に基づき圧力変動が生ぜしめられる受圧室が形成されている。なお、特許文献１に示されているように、蓋部材の一部がゴム膜で構成されて、ゴム膜自体の弾性変形により受圧室の圧力変動を調節したり、電磁式アクチュエータ等を用いてゴム膜を強制的に加振変位させて、受圧室の圧力変動を能動的に制御することも可能である。
【００２８】
また、本体ゴム弾性体１６の外側を覆うようにして、可撓性膜としての弾性変形容易なダイヤフラム２２が配設されていることによって、本体ゴム弾性体１６を挟んで受圧室と反対側には、ダイヤフラム２２の弾性変形に基づき容積変化が容易に許容される平衡室が形成されている。即ち、ダイヤフラム２２が、マウント本体の外部に露呈している。これら受圧室と平衡室には、水やアルキレングリコール、ポリアルキレングリコール等の非圧縮性流体が封入されている。また、受圧室と平衡室の間には、それらを相互に連通せしめるオリフィス通路が形成されている。このオリフィス通路を通じて流動せしめられる流体の共振周波数が、防振すべき振動にチューニングされている。
【００２９】
特に、第一の取付金具１２の上端部分には、取付片２４が一体形成されており、取付片２４に貫設された挿通孔２６に固定用ボルトが挿通されて、パワーユニット側の取付部材に螺着固定されるようになっている。また、第二の取付金具１４の他方（図１中、下）の開口部側に、筒状の取付ブラケット２８が固定されており、取付ブラケット２８が車両ボデー側の取付部材にボルト等で固定されるようになっている。これにより、自動車用エンジンマウント１０が、パワーユニットと車両ボデーの間に介装されるようにして自動車に装着されて、パワーユニットを車両ボデーに対して防振支持せしめるようになっている。
【００３０】
かかる装着状態下、第一の取付金具１２と第二の取付金具１４の間に振動が入力されて、受圧室と平衡室の間に相対的な圧力変動が生ぜしめられて、オリフィス通路を通じての流体の流動量が確保されることとなり、かかる流体の共振作用等の流動作用に基づいて防振効果が発揮されるようになっている。
【００３１】
そこにおいて、第二の取付金具１４の一方（図１中、上）の端部には、軸直角方向外方に広がる鍔状部３０が一体形成されており、この鍔状部３０に対してストッパ金具１８が固定されている。
【００３２】
詳細には、ストッパ金具１８は、図２〜４にも示されているように、軸直角方向に延びる略矩形平板形状の当接板部３２を備えていると共に、当接板部３２の両端から下方に向かって延びる略矩形板状の脚部３４の一対を備えていて、全体として門形状を呈している。この当接板部３２の各端部と脚部３４の上端部が一体形成されてなる当接板部３２と脚部３４の連結部位は、滑らかに湾曲している。
【００３３】
また、脚部３４の下端部が屈曲して、当接板部３２と略平行に延びる矩形平板形状を有していると共に、その下端部に挿通孔３６が貫設されている。一対の脚部３４，３４の対向面間距離が、ダイヤフラム２２の外形寸法よりも大きくされている。脚部３４の高さ寸法が、マウント本体の第二の取付金具１４の鍔状部３０から第一の取付金具１２に至る高さ寸法に比して十分に大きくされている。
【００３４】
さらに、ストッパ金具１８の幅方向（図３中、上下または図４中、左右）の両端部には、支持板部３８がそれぞれ一体形成されている。支持板部３８は、ストッパ金具１８の幅方向端部から上方に延びる平板形状を有しており、幅方向端部の全体に亘って略一定の高さ寸法で延びている。即ち、ストッパ金具１８には、幅方向で対向位置せしめられた一対の支持板部３８，３８と当接板部３２および一対の脚部３４，３４が協働して、ストッパ金具１８の外方に向かって開口する略一定の凹状断面で、一対の脚部３４，３４およびその間の当接板部３２を連続して延びる係止凹溝４０が形成されている。
【００３５】
特に、当接板部３２の幅方向（図３中、上下）の両端縁部から立ち上がって、当接板部３２と略平行に延びる支持板部３８の先端面の中央には、切欠状の段差部としての位置決め用溝３３が形成されている。位置決め用溝３３は支持板部３８の先端面を所定の深さ寸法だけ切り欠くように形成されて、位置決め用溝３３の底面が当接板部３２と略平行に延びており、その長手方向（図２，３中、左右）に延びる両端面が当接板部３２における脚部３４との連結部分に至らない幅方向縁部の上方に位置せしめられている。このような位置決め用溝３３が支持板部３８に形成されていることにより、支持板部３８の先端面には、位置決め用溝３３の長手方向両端面で構成された段差面３５，３５が形成されている。かかる段差面３５は、位置決め用溝３３の底面から上方に向かって位置決め用溝３３の長手方向外方に傾斜している。
【００３６】
このような構造とされたストッパ金具１８の一対の脚部３４，３４の間に、マウント本体の第一の取付金具１２およびダイヤフラム２２が挟み込まれるようにして、脚部３４の下端部が第二の取付金具１４の鍔状部３０に重ね合わせられると共に、鍔状部３０に突設された固定用ボルト４２が脚部３４の挿通孔３６に挿通されて固定用ナットを用いて螺着固定されている。これにより、ストッパ金具１８が第一の取付金具１２およびダイヤフラム２２の外方に離隔位置せしめられて、第一の取付金具１２の上方にストッパ金具１８の当接板部３２が所定距離を隔てて対向位置せしめれた形態で、ストッパ金具１８が第二の取付金具１４の鍔状部３０に固定されている。
【００３７】
一方、ヒートインシュレータ２０は、図５〜１５にも示されているように、ゴム弾性材を用いて形成されており、第一膜部４４や第二膜部４６、中央連結板部４８、一対の外側連結板部５０，５０を含んで構成されて、全体として下方に向かって開口する略逆カップ形状を有している。
【００３８】
第一膜部４４は、空洞の略四半球形状を有していると共に、周壁部分の適当な箇所に、複数の窓部５２が形成されている。
【００３９】
第二膜部４６は、第一膜部４４に比して幅寸法の小さな袋形状を有していると共に、中央部分に大きな切り欠き状の窓部５４が形成されている。また、第二膜部４６の周壁部分には、板状を有する放熱板部５６が外方に向かって突設されている。
【００４０】
これら第一膜部４４と第二膜部４６が、幅方向（図６，７中、上下）に所定距離を隔てて対向位置せしめられていると共に、それらの対向面間に略矩形平板形状を有する中央連結板部４８と一対の外側連結板部５０，５０が配されて、各連結板部４８，５０の幅方向端部が第一膜部４４の内周縁部分と第二膜部４６の内周縁部分に一体形成されていることにより、第一膜部４４と第二膜部４６が中央および外側連結板部４８，５０を介して相互に連結された構造を呈している。
【００４１】
特に本実施形態では、中央連結板部４８が、第一膜部４４と第二膜部４６の対向方向に直交する方向（図６，７中、左右）の中央部分に位置せしめられていることで、ヒートインシュレータ２０の底部中央として構成されている。また、各外側連結板部５０が、中央連結板部４８から当該直交方向に離隔した外方に位置せしめられていることによって、それぞれヒートインシュレータ２０の周壁部分の一部として構成されている。また、中央連結板部４８は、その長手寸法がストッパ金具１８の当接板部３２の長手寸法よりも小さな略矩形平板形状を有していると共に、外側連結板部５０は、その長手寸法が中央連結板部４８の長手寸法よりも小さな矩形平板形状を有している。
【００４２】
また、中央連結板部４８には、下方に向かって突出するストッパゴム５８が一体形成されている。この緩衝ゴムとしてのストッパゴム５８は、矩形平板形状の板部が軸方向に複数重ね合わせられると共に、突出方向の先端部分に向かって外形寸法が次第に小さくなる形態を有している。また、ストッパゴム５８が、ヒートインシュレータ２０の底部中央の幅方向一方（図６中、上）の第二膜部４６側に偏倚して設けられている。
【００４３】
また、ヒートインシュレータ２０における第一膜部４４および第二膜部４６の内周縁部には、全体に亘って略一定の高さ寸法で外方に突出する平板形状の係止板部６０が設けられている。これら一対の係止板部６０，６０が、第一膜部４４および第二膜部４６の対向方向に所定距離を隔てて対向位置せしめられていることで、ヒートインシュレータ２０には、一対の係止板部６０，６０と一対の係止板部６０，６０の間に延びる中央連結板部４８および一対の外側連結板部５０，５０が協働して、ヒートインシュレータ２０の外方に開口する略一定の凹状断面で中央部分から両側の周縁部分に至る領域を連続して延びる嵌入凹所６２が形成されている。このことからも明らかなように、一対の係止板部６０，６０は、中央連結板部４８や一対の外側連結板部５０，５０によって相互に連結されている。また、嵌入凹所６２の幅寸法や長手寸法は、一対の支持板部３８，３８を備えたストッパ金具１８の幅寸法や長手寸法よりも僅かに大きくされている。
【００４４】
各係止板部６０において、中央連結板部４８と連結された部分には、中央爪部６４が設けられていると共に、外側連結板部５０と連結された部分には、外側爪部６６が設けられている。換言すると、一対の中央爪部６４，６４が、ヒートインシュレータ２０の底部中央において、中央連結板部４８の幅方向に離隔して対向位置せしめられている。更に、各一対の外側爪部６６，６６が、ヒートインシュレータ２０の各周壁部分において、外側連結板部５０の幅方向に離隔して対向位置せしめられていると共に、ヒートインシュレータ２０の中心を挟んだ軸直角方向一方向で対向位置せしめられている。
【００４５】
中央爪部６４や外側爪部６６は、何れも、係止板部６０の上端部分から幅方向内側に延びる矩形平板形状の横壁部６８と横壁部６８の内側端縁部から下方又は内方に向かって略矩形平板形状に延びる縦壁部７０を含んで構成されている。中央爪部６４や外側爪部６６の長手寸法が、中央連結板部４８や外周連結板部５０の長手寸法と略同じ大きさに設定されているため、中央爪部６４の長手寸法が、外側爪部６６の長手寸法よりも大きくされている。
【００４６】
特に本実施形態では、中央爪部６４において、横壁部６８の厚さ寸法が係止板部６０の厚さ寸法と同じかそれよりも僅かに小さくされていると共に、縦壁部７０の厚さ寸法が係止板部６０の厚さ寸法に比して十分に大きくされていることによって、中央爪部６４の縦壁部７０の厚さ寸法が、横壁部６８の厚さ寸法に比して十分に大きくされている。一方、外側爪部６６の横壁部６８の厚さ寸法と縦壁部７０の厚さ寸法は、ともに係止板部６０の厚さ寸法と略同じとされている。
【００４７】
また、中央爪部６４の縦壁部７０が、係止板部６０と横壁部６８の幅寸法分だけ幅方向に離隔して対向位置せしめられていると共に、係止板部６０と平行に延びている。また、縦壁部７０の高さ寸法が、係止板部６０の上端部分と同じ高さ位置にある横壁部６８の内側端部から各連結板部４８，５０に向かって延びて、突出先端部分が連結板部４８，５０と当接しない大きさとされている。特に本実施形態では、縦壁部７０の係止板部６０と対向位置せしめられる側の内側端部が、軸方向中間部分から突出先端部分に行くに従って幅寸法が小さくなる先細り形状とされている。また、中央爪部６４の長手方向（図７，８中、左右）の寸法が、ストッパ金具１８の支持板部３８に形成された位置決め用溝３３の長手方向（図２，３中、左右）の寸法、換言すると一対の段差面３５，３５の間の離隔距離よりも僅かに小さくされている。
【００４８】
さらに、上述の説明からも明らかなように、ヒートインシュレータ２０において、中央爪部６４が一体形成された中央連結板部４８と外側爪部６６が一体形成された外側連結板部５０とが、連結板部４８，５０の幅方向に直交する方向（長手方向）に離隔して設けられていることによって、各係止板部６０に形成された中央爪部６４と各外側爪部６６が、該長手方向に所定距離を隔てて対向位置せしめられていると共に、それら中央爪部６４と各外側爪部６６の間には、中央連結板部４８と各外側連結板部５０の間に位置せしめられる矩形状の肉抜き孔７２が形成されている。
【００４９】
このような構造とされたヒートインシュレータ２０が、ストッパ金具１８が固定されたマウント本体に対して、門形状のストッパ金具１８の内側と第一の取付金具１２およびダイヤフラム２２の間に差し入れられて、ヒートインシュレータ２０の嵌入凹所６２に対してストッパ金具１８が嵌め込まれている。そして、ヒートインシュレータ２０の中央連結板部４８にストッパ金具１８の当接板部３２が重ね合わせられていると共に、ヒートインシュレータ２０の各外側連結板部５０にストッパ金具１８の各脚部３４の中間部分が重ね合わせられている。
【００５０】
さらに、ヒートインシュレータ２０の中央爪部６４と外側爪部６６の各縦壁部７０と係止板部６０の間の離隔距離を広げるようにして、爪部６４，６６を弾性変形させて、縦壁部７０が、ストッパ金具１８の支持板部３８の幅方向外方乃至は軸方向外方から支持板部３８を超えて、支持板部３８の内側の係止凹溝４０に位置せしめられている。更に、ストッパ金具１８の当接板部３２に突設された支持板部３８が、中央爪部６４の縦壁部７０と係止板部６０の間に挟み込まれていると共に、支持板部３８の上端部分が横壁部６８と対向せしめられている。更にまた、ストッパ金具１８の各脚部３４に突設された支持板部３８が、外側爪部６６の縦壁部７０と係止板部６０の間に挟み込まれていると共に、支持板部３８の上端部分が横壁部６８と対向せしめられている。なお、各爪部６４，６６の横壁部６８と支持板部３８の上端部分が当接しているか離隔しているかは特に限定されるものでない。ヒートインシュレータ２０の各連結板部４８，５０がストッパ金具１８に重ね合わせられていると共に、各爪部６４，６６の縦壁部７０と係止板部６０の間に支持板部が３８挟み込まれていることによって、ヒートインシュレータ２０がストッパ金具１８に固定的に支持されているのである。
【００５１】
ここで、中央爪部６４が支持板部３８の位置決め用溝３３に嵌め込まれて、中央爪部６４の横壁部６８と位置決め用溝３３の底面が対向せしめられて当接または離隔していると共に、中央爪部６４の長手方向の両端面がストッパ金具１８の各段差面３５とそれぞれ対向せしめられている。中央爪部６４の長手寸法が一対の段差面３５，３５の離隔距離よりも僅かに小さくされていることで、中央爪部６４の中央部分が一対の段差面３５，３５の対向面間の中央に位置せしめられると、中央爪部６４の端面と段差面３５が厳密には離隔されているが、それら端面と段差面３５の離隔距離は無視できるほどに小さくされていることによって、中央爪部６４の各端面が各段差面３５に実質的に当接している。
【００５２】
なお、本実施形態に係る自動車用エンジンマウント１０では、例示の如き形態に限定されるものでなく、例えば中央爪部６４の長手寸法を一対の段差面３５，３５の離隔距離よりも大きくして、中央爪部６４の位置決め用溝３３への嵌め込みに際して、中央爪部６４を圧縮変形させつつ、中央爪部６４の端面を段差面３５に当接させることも可能である。
【００５３】
これにより、ストッパ金具１８の当接板部３２に対する中央爪部６４の長手方向の変位が制限されており、ヒートインシュレータ２０の中央部分が、ストッパ金具１８の中央部分の当接板部３２に位置決めされて、中央爪部６４の支持板部３８の挟み込みにより固定的に支持されている。また、ヒートインシュレータ２０の中央部分の位置決めに伴い、ヒートインシュレータ２０の周壁部分がストッパ金具１８の外周側の一対の脚部３４，３４に位置決めされて、外側爪部６６の支持板部３８の挟み込みにより固定的に支持せしめられている。その結果、ヒートインシュレータ２０が、第一の取付金具１２およびダイヤフラム２２の外方に所定の距離を隔てて位置せしめられた状態が保持されつつ、それら第一の取付金具１２およびダイヤフラム２２側から被せられるように配設されて、ストッパ金具１８を介してマウント本体に固定されている。
【００５４】
また、かかる固定状態下、ヒートインシュレータ２０の中央連結板部４８がストッパ金具１８の当接板部３２に重ね合わせられていることに基づき、中央連結板部４８に突設されたストッパゴム５８が、当接板部３２と第一の取付金具１２の軸方向対向面間に位置せしめられて、ストッパ金具１８側から第一の取付金具１２に向かって突出せしめられている。また、特に本実施形態では、ストッパ金具１８における当接板部３２と脚部３４の連結部分が、ヒートインシュレータ２０の肉抜き孔７２に位置せしめられている。
【００５５】
なお、ヒートインシュレータ２０のマウント本体への組付けは、マウント本体に固定されたストッパ金具１８に対して固定することにより実現されても良いし、またマウント本体に固定される前のストッパ金具１８にヒートインシュレータ２０を固定して、ストッパ金具１８がマウント本体に固定されることによって実現されても良い。
【００５６】
このような構造とされたヒートインシュレータ２０付きの自動車用エンジンマウント１０においては、第一の取付金具１２と第二の取付金具１４の間にリバウンド方向の大荷重が入力されて、両金具１２，１４の一方が他方に対して大きく離隔変位することとなっても、ストッパ金具１８の当接板部３２と第一の取付金具１２が、ヒートインシュレータ２０に一体形成されたストッパゴム５８を介して打ち当たることによって、両金具１２，１４のリバウンド方向の変位が緩衝的に制限される。その結果、本体ゴム弾性体１６の過大な変形が抑えられて、耐久性が向上され得る。なお、上述の説明からも明らかなように、本実施形態に係る第一の取付金具１２と第二の取付金具１４のリバウンドストッパ機構が、ストッパ金具１８やストッパゴム５８を含んで構成されている。
【００５７】
また、このような自動車用エンジンマウント１０は、内燃機関の輻射熱等が晒されやすい場所に配されることとなるが、第一の取付金具１２およびダイヤフラム２２の外面を離隔して覆うようにヒートインシュレータ２０が配されていることから、マウント本体の内部に設けられる本体ゴム弾性体１６は勿論、ダイヤフラム２２もヒートインシュレータ２０で好適に保護されることとなり、ダイヤフラム２２や本体ゴム弾性体１６の耐久性が有利に向上され得る。
【００５８】
そこにおいて、ヒートインシュレータ２０が、中央爪部６４と外側爪部６６を利用して、所定の面積を備え且つ剛体のストッパ金具１８に支持されていることにより、ヒートインシュレータ２０のマウント本体への支持状態が安定する。その結果、ヒートインシュレータ２０がダイヤフラム２２等に過度に当接することが抑えられて、当接による不具合が有利に解消され得る。
【００５９】
特に、ヒートインシュレータ２０のストッパ金具１８、延いてはマウント本体に対する位置決めが、中央爪部６４の端面が支持板部３８の段差面３５に当接することで実現されることから、位置決め構造が簡単となる。しかも、自動車への装着状態下、中央爪部６４の端面と支持板部３８の段差面３５の当接状態が保持されていることによって、ヒートインシュレータ２０のマウント本体に対する位置ずれが好適に抑えられる。
【００６０】
また、ヒートインシュレータ２０と一体形成された中央爪部６４や外側爪部６６を用いてストッパ金具１８に固定されていることにより、ボルト等を用いて固定する場合に比して、固定構造が簡単となるのであり、それによって、前述の位置決め構造を含む全体構造の複雑化が有利に解消され得る。
【００６１】
さらに、ヒートインシュレータ２０の中央部分と外周部分の両方がストッパ金具１８に支持されるようになっていることから、組み付け作業が容易になることに加えて、例えばヒートインシュレータ２０の中央部分が第一の取付金具１２側に支持されると共に、ヒートインシュレータ２０の外周部分が第二の取付金具１４側に支持されることに起因して、第一の取付金具１２と第二の取付金具１４の相対変位による応力集中がヒートインシュレータ２０に生じることが回避されることとなり、ヒートインシュレータ２０の耐久性が向上され得る。
【００６２】
更にまた、ストッパ金具１８とヒートインシュレータ２０が互いに別体形成されていることにより、ヒートインシュレータ２０の形状や大きさ等をストッパ金具１８の形態で大きく制限されることなく、設計変更することが出来、それによって、ヒートインシュレータ２０ならびにストッパ金具１８の設計自由度が十分に確保され得る。
【００６３】
それ故、製造効率の向上や低コスト化が有利に達成され得ることに加え、ヒートインシュレータ２０における設計変更や、マウント本体との離隔保持が高度に実現されることにより、所期の遮熱効果が安定して得られるのである。
【００６４】
特に本実施形態では、ストッパゴム５８がヒートインシュレータ２０と一体形成されていることにより、部品点数の増大が抑えられて、組み付け作業が一層容易になる。
【００６５】
また、本実施形態では、ヒートインシュレータ２０の係止板部６０やストッパ金具１８の支持板部３８が、ぞれぞれ一方の周縁部（端部）から中央部分を経て他方の周縁部（端部）にまで連続して延びて、それら支持板部３８と係止板部６０が全体に亘って幅方向で重ね合わせられている。これにより、ヒートインシュレータ２０のストッパ金具１８に対する支持状態が一層安定する。
【００６６】
以上、本発明の一実施形態について詳述してきたが、これはあくまでも例示であり、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【００６７】
例えば、ストッパ金具１８やヒートインシュレータ２０、マウント本体等における形状や大きさ、構造、数、配置等の形態は、例示の如きものに限定されない。以下の説明において前記実施形態と実質的に同一の構造とされた部材および部位については、図中に同一の符号を付することにより、それらの詳細な説明を省略する。
【００６８】
すなわち、前記実施形態では、ヒートインシュレータ２０が一対の袋状の第一膜部４４および第二膜部４６を含んで構成されていたが、要求される遮熱効果や製作性等に応じて、例えば図１６〜１８にも示されているように、第二膜部４６がストッパ金具１８の係止板部６０に沿って重ね合わせられる板形状とされていても良い。
【００６９】
また、前記実施形態では、ヒートインシュレータ２０の周壁部分が、ストッパ金具１８の両脚部３４，３４に対して、それぞれ一対の外側爪部６６，６６を介して固定されるようになっていたが、一方の脚部３４のみに対して外側爪部６６を利用して固定することも可能である。
【００７０】
また、ストッパゴム５８がヒートインシュレータ２０と一体形成される必要は必ずしもなく、例えばストッパゴム５８を設けずに、第一の取付金具とストッパ金具の当接板部をヒートインシュレータの中央連結板部を介して打ち当たらせることも可能であり、或いはストッパ金具の当接板部の底面にストッパゴムを突設すると共に、ストッパゴムをヒートインシュレータの中央連結板部に重ね合わせたり、中央連結板部に貫設した孔にストッパゴムを挿通することも可能である。
【００７１】
また、前記実施形態では、支持板部３８の段差面３５が、支持板部３８の先端部分において切り欠き状に設けられた位置決め用溝３３の長手方向の端面によって構成されていたが、例えば支持板部の先端部分に突設された突部の端面で構成しても良い。
【００７２】
また、段差面３５を各支持板部３８にそれぞれ一対設ける必要は必ずしもなく、各支持板部３８における一対の段差面３５，３５をそれぞれ一つにして、それら段差面を当接板部の中央を挟んで互いに異なる方向に配して、一方の中央爪部の長手方向一方の端面に一方の段差面を当接させると共に、他方の中央爪部の長手方向他方の端面に他方の段差面を当接させることによって、一方の支持板部の段差面と他方の支持板部の段差面が協働してヒートインシュレータの中央部分の変位を制限して、ストッパ金具の当接板部に位置決めすることも可能である。
【００７３】
さらに、前記実施形態では、内部に受圧室や平衡室、オリフィス通路を形成して、内部に非圧縮性流体が封入されたリキッド式のエンジンマウント１０に対して本発明が適用されていたが、これに限定されるものでなく、例えば第一の取付金具と第二の取付金具が本体ゴム弾性体で連結されただけのソリッド式の防振装置に対して適用することも勿論可能である。
【００７４】
加えて、前記実施形態では、自動車用エンジンマウントに本発明を適用したものの一具体例について例示されていたが、その他ストッパ機構およびヒートインシュレータの配設が要求される各種の防振装置に対して適用可能であることは無論である。
【図面の簡単な説明】
【００７５】
【図１】本発明の一実施形態としての自動車用エンジンマウントの正面と側面を一体的に示す外形説明図。
【図２】同自動車用エンジンマウントの一部を構成するストッパ金具の正面図。
【図３】同ストッパ金具の平面図。
【図４】同ストッパ金具の一側面図。
【図５】同自動車用エンジンマウントの一部を構成するヒートインシュレータの斜視図。
【図６】同ヒートインシュレータの底面図。
【図７】同ヒートインシュレータの平面図。
【図８】図７のＶＩＩＩ−ＶＩＩＩ断面図。
【図９】図７のＩＸ−ＩＸ断面図。
【図１０】図７のＸ−Ｘ断面図。
【図１１】図７のＸＩ−ＸＩ断面図。
【図１２】同ヒートインシュレータの一側面図。
【図１３】同ヒートインシュレータの正面図。
【図１４】図１３のＸＩＩＩＩ−ＸＩＩＩＩ断面図。
【図１５】図１３のＸＶ−ＸＶ断面図。
【図１６】本発明の別の一具体例としての自動車用エンジンマウントの一部を構成するヒートインシュレータをストッパ金具に組み付けた状態の斜視図。
【図１７】同組み付け状態の平面図。
【図１８】図１７のＸＶＩＩＩ−ＸＶＩＩＩ断面図。
【符号の説明】
【００７６】
１０：自動車用エンジンマウント、１２：第一の取付金具、１４：第二の取付金具、１６：本体ゴム弾性体、１８：ストッパ金具、２０：ヒートインシュレータ、３２：当接板部、３４：脚部、３５：段差面、４０：係止凹溝、５８：ストッパゴム、６４：中央爪部、６６：外側爪部
【図１】
0004772001.tif 000002
【図２】
0004772001.tif 000003
【図３】
0004772001.tif 000004
【図４】
0004772001.tif 000005
【図５】
0004772001.tif 000006
【図６】
0004772001.tif 000007
【図７】
0004772001.tif 000008
【図８】
0004772001.tif 000009
【図９】
0004772001.tif 000010
【図１０】
0004772001.tif 000011
【図１１】
0004772001.tif 000012
【図１２】
0004772001.tif 000013
【図１３】
0004772001.tif 000014
【図１４】
0004772001.tif 000015
【図１５】
0004772001.tif 000016
【図１６】
0004772001.tif 000017
【図１７】
0004772001.tif 000018
【図１８】
0004772001.tif 000019